(57)【要約】本発明は、布地印刷機を操作するためのシステムであって、第１の布地印刷機および少なくとも１つの第２の布地印刷機を備え、布地印刷機が、第１の主体または第２の主体内に設けられ、かつ互いに独立しており、各布地印刷機が、データ処理モジュールを備え、データ処理モジュールが、布地印刷機の状態、設定、および／または利用に関するデータを検出し、布地印刷機が、検出されたデータを、主体および／または位置とは無関係にデータセンタに送信し、データセンタが、第三者からの印刷ジョブを受諾し、送信されたデータに基づいて、データに適合する少なくとも１つの印刷ジョブを少なくとも２つの布地印刷機のうちの１つに送信するように構成されている、システムに関する。さらに、本発明は、本発明によるシステム用のモジュールに関する。【選択図】図１
2019530942.tif 000002
【特許請求の範囲】
【請求項１】
布地印刷機を操作するためのシステムであって、
−  第１の布地印刷機、および少なくとも１つの第２の布地印刷機、を備え、前記第１の布地印刷機および前記第２の布地印刷機が、第１の主体または第２の主体内に設けられ、かつ互いに独立しており、
−  各布地印刷機が、データ処理モジュールを備え、前記モジュールが、前記布地印刷機の状態、設定、および／または利用に関するデータを検出することと、
−  前記布地印刷機が、前記検出されたデータを、主体および／または位置とは無関係にデータセンタに送信することと、
−  前記データセンタが、前記それぞれの印刷機で十分な空き印刷時間が利用可能である限り、第三者からの印刷ジョブを受諾し、前記送信されたデータに基づいて、前記データに適合する少なくとも１つの印刷ジョブを前記少なくとも２つの布地印刷機のうちの１つに送信するように構成されていることと、
を特徴とする、システム。
【請求項２】
前記データセンタが、前記少なくとも２つの布地印刷機の前記それぞれの利用を前記データセンタの印刷ジョブの予想印刷時間と比較するように構成されていることを特徴とする、請求項１に記載の布地印刷機を操作するためのシステム。
【請求項３】
少なくとも、前記第１の布地印刷機および前記少なくとも第２の布地印刷機のそれぞれに対して、制御手段、特に、サーバが設けられており、前記手段が、ローカル印刷ジョブを前記少なくとも２つの布地印刷機のうちの１つに対して利用可能にするように構成されていることを特徴とする、請求項１に記載の布地印刷機を操作するためのシステム。
【請求項４】
前記少なくとも２つの制御手段が、それぞれ別個のデジタルネットワークの一部として利用可能であることを特徴とする、請求項１または２に記載の布地印刷機を操作するためのシステム。
【請求項５】
少なくとも、前記別個のデジタルネットワークのうちの１つに、少なくとも１つの第２の布地印刷機が設けられていることを特徴とする、請求項１または２に記載の布地印刷機を操作するためのシステム。
【請求項６】
前記データセンタが、入力マスクを含み、前記入力マスクが、特に、インターネットを介して到達され得、かつ第三者からの印刷ジョブを前記データセンタに対して利用可能にするように構成されていることを特徴とする、請求項１〜３の何れか一項に記載の布地印刷機を操作するためのシステム。
【請求項７】
前記入力マスクをブラウザウィンドウ内に表示することができ、前記データセンタに対する第三者からの印刷ジョブを、インターネット接続を有する任意の所望のコンピュータから前記入力マスクに入力することができることを特徴とする、請求項１〜６の何れか一項に記載の布地印刷機を操作するためのシステム。
【請求項８】
前記データセンタの初期の印刷ジョブに対して優先権を有する後で利用可能になるローカル印刷ジョブを、前記それぞれの主体において前記布地印刷機を介して処理することができることを特徴とする、請求項１〜７の何れか一項に記載の布地印刷機を処理するためのシステム。
【請求項９】
前記布地印刷機の前記制御手段が、前記データセンタにより受諾された印刷ジョブを一時停止および／またはキャンセルするように構成されており、さらに、前記データセンタの前記印刷ジョブの代わりに、ローカル印刷ジョブを前記布地印刷機に割り当てるように構成されていることを特徴とする、請求項１〜８に記載の布地印刷機を操作するためのシステム。
【請求項１０】
前記それぞれのネットワークの前記制御手段が、グローバルプラットフォームのグローバル印刷ジョブを前記それぞれのネットワークの前記布地印刷機に割り当てるように構成されており、前記ジョブが、前記布地印刷機を介して処理され得ることを特徴とする、請求項１〜９の何れか一項に記載の布地印刷機を操作するためのシステム。
【請求項１１】
特に、請求項１〜１０の何れか一項に記載の布地印刷機を操作するためのシステム用のモジュールであって、
前記モジュールが、前記少なくとも２つの布地印刷機のうちの１つとそれぞれ関連しており、前記布地印刷機の状態、設定、および／または利用に関するデータを前記データセンタに送信し、前記送信されたデータに基づいて、前記布地印刷機を介して処理され得る前記データセンタの印刷ジョブを受諾するように構成されていることを特徴とする、モジュール。
【請求項１２】
前記それぞれのモジュールと前記データセンタとの通信を要求に基づいて中断することができ、前記布地印刷機のローカルアイドリング時間が、ローカル印刷ジョブに対してのみ使用可能であることを特徴とする、請求項１１に記載のモジュール。
【発明の詳細な説明】
【技術分野】
【０００１】
本発明は、請求項１の前提部分に記載の布地印刷機を操作するためのシステム、ならびに特に、請求項９の前提部分に記載の布地印刷機を操作するためのシステム用のモジュールに関する。
【背景技術】
【０００２】
布地印刷機の操作では、個々の印刷ジョブがデバイスを介して次々に処理されることが普通である。布地印刷機の操作主体は、様々な取引先から委託され得る。注文状況によっては、布地印刷機が使用されないままの休止期間が経過することがある。これは、経済的な観点からも、ならびに布地印刷機の操作の観点からも不利であり得る。したがって、例えば、印刷機が長時間使用されないままであると、印刷インクが印刷機内の印刷ヘッド上で乾燥することがあり、これは、インクノズルの目詰まりにつながることがある。例えば、布地印刷機が十分に利用されていない場合、プリンタインクの限られた貯蔵寿命が、プリンタインクの一部を廃棄しなければならなくなることにつながる場合もある。
【０００３】
通常、第１の布地印刷機および少なくとも１つの第２の布地印刷機が配置されており、第１の布地印刷機および第２の布地印刷機は、第１の主体または第２の主体内に設けられ、かつ互いに独立している。
【０００４】
特許文献１は、印刷サービスネットワークを実装するためのシステム、方法、およびコンピュータプログラム製品に関する。本システムは、サーバとデータセンタとを含み、個々のコントローラは、サーバと接続されており、コントローラは、個々の印刷所に割り当てられている。
【０００５】
特許文献２は、サービスプロバイダへの注文の自動割り当てを開示している。これによって、いわゆる仲介者は、印刷ジョブを受信し、これらのジョブを個々のサービスプロバイダに割り当てるように構成されている。割り当ては、特に、サービスプロバイダによるフレームワーク条件の指定を介して行われる。
【０００６】
特許文献３は、ユーザがプロバイダの事前選択から、印刷ジョブの実行のための所望のプロバイダを独立して選択し得る、インターネット印刷仲介システムおよび方法を開示している。
【先行技術文献】
【特許文献】
【０００７】
【特許文献１】米国特許第２０１１／０２６１３９０（Ａ１）号
【特許文献２】国際公開第２０１３／１３３７８９（Ａ１）号
【特許文献３】欧州特許出願公開第１  １９７  ８４１（Ａ２）号
【発明の概要】
【課題を解決するための手段】
【０００８】
本発明の目的は、布地印刷機を操作するためのシステム、ならびに特に、布地印刷機を操作するためのシステム用のモジュールを開示することであり、これにより、印刷時間ならびに布地印刷機の供給材料の経済的な利用が可能になる。
【０００９】
この目的は、請求項１の特徴を有するシステムおよび請求項９の特徴を有するモジュールによって本発明に従って解決される。有利な実施形態が従属請求項に明細に述べられている。
【００１０】
本システムは、本発明に従って、各布地印刷機が、データ処理モジュールを備え、データ処理モジュールが、布地印刷機の状態、設定、および／または利用に関するデータを検出することと、布地印刷機が、検出されたデータを、主体および／または位置とは無関係にデータセンタに送信することと、データセンタが、第三者からの印刷ジョブを受諾し、送信されたデータに基づいて、データに適合する少なくとも１つの印刷ジョブを少なくとも２つの布地印刷機のうちの１つに送信するように構成されていることとを特徴とする。
【００１１】
本発明の基本概念は、異なる主体の布地印刷機に関する情報を、例えば、データセンタの形態の独立したユニットに送信して、送信されたデータに基づいて、処理するための印刷ジョブをユニットから受信するのに利用可能なシステムを作成することにある。布地印刷機は、好ましくは、対応するモジュールを有する製造者によって提供されるため、これらを購入者の要求時に作動させるだけでよい。データセンタは、機械製造者によって操作され得る。
【００１２】
個々の主体は、互いに独立したものであり得る。すなわち、各々は、独自のローカル印刷ジョブを有する独自のデータセットを含み得、主体間でのデータ交換、特に、印刷ジョブの形態での直接的なデータ交換は提供されない。
【００１３】
送信されたデータに基づいて、ユニットは、印刷ジョブを布地印刷機のうちの少なくとも１つに配信することができ、印刷ジョブは、主体から独立したソースに由来し得、かつ例えば、利用可能な「布地印刷機の時間」、すなわち、ジョブ発行の時点で、ユニットを介して、それぞれの布地印刷機を通じて印刷ジョブが存在しない時間に基づき得る。ユニットから布地印刷機のうちの少なくとも１つに印刷ジョブを発行および送信するためのさらなる追加または代替の基準は、提供された供給材料およびユニットのタイプおよび量、例えば、布地のタイプ、布地の品質、プリンタインク、提供された印刷方法（インクジェット、スクリーン印刷など）、またはそれぞれの布地印刷機の前処理材料および前処理ユニットであり得る。機械の残り時間を活用し、経済的に使用することができる。
【００１４】
本発明によるシステムは、本質的に、構成であり得、ならびに方法でもあり得る。本発明によるシステムによれば、主体の独立性は、特に、１つの主体の少なくとも１つの布地印刷機が第１のローカルネットワークに属し、少なくとも１つのさらなる主体の少なくとも１つのさらなる布地印刷機がさらなる別個のローカルネットワーク内に設けられているということにあり得る。したがって、１つの主体のローカルネットワークを、特に、さらなる主体のローカルネットワークから分離することができ、少なくとも２つの主体の少なくとも２つのローカルネットワークは、互いに直接データ接続を有さず、かつ／またはデータ交換が提供されない。少なくとも２つの主体は、特に、他の主体から独立して、各主体がそれ自体の権利で、その少なくとも１つの布地印刷機のための印刷ジョブを受諾するように構成され得、第２の主体は、データ処理／送信の観点から、第１の主体の印刷ジョブに関する指示を受信することはできない。
【００１５】
本発明によれば、それぞれの主体の布地印刷機は、顧客／利害関係者によって直接それぞれの主体に委託された印刷ジョブを処理するように構成されている。したがって、本発明によれば、印刷ジョブを主体に直接委託する、主体の直接の顧客ではない個人の集まりは、印刷ジョブをデータセンタに送信する第三者の下にあることを意味し得る。したがって、本発明によれば、第三者は、直接の主体のジョブとは無関係に、印刷ジョブのさらなるソースであり得る。
【００１６】
本発明によるモジュールは、特に、布地印刷機の操作に関するすべての操作上関連のあるデータを検出するように構成され得、データは、適合する印刷ジョブを布地印刷機に割り当てることに寄与し得る。少なくとも、例えば、割り当てられた布地または割り当てられたプリンタインクなどの布地機械に割り当てられた供給材料、布地機械に既に割り当てられた印刷ジョブであって、ジョブがそれぞれの主体を介して布地印刷機に直接割り当てられた、印刷ジョブ、ならびに布地印刷機の操作に決定的であり得る他のパラメータは、これらに属する。
【００１７】
利用可能にされた情報に基づいて、データセンタは、第三者から印刷機への印刷ジョブの割り当てを遂行することができ、ならびに、例えば、供給材料に関する布地印刷機の適合性、および布地印刷機での利用可能な印刷時間を本質的に決定することもできる。
【００１８】
データセンタが第三者の印刷ジョブにとって好適な布地印刷機を決定した場合、データセンタは、布地印刷機への印刷に必要なデータを処理または送信するために、印刷ジョブを対応する布地印刷機に割り当てることができる。それによって、第三者からの印刷ジョブは、次々に処理されるために、瞬時に布地印刷機を介して処理され得るか、または第三者からデータセンタによって割り当てられたそれぞれの主体の印刷ジョブが位置するキューならびに印刷ジョブからのキューに割り当てられ得る。
【００１９】
本発明によるシステムの有利なさらなる展開によれば、少なくとも１つの主体が、処理し得るよりも多くの印刷ジョブを、顧客を介して直接委託されるか、または他の理由により印刷ジョブを処理することができない場合、主体は、例えば、モジュールを介して、これらの印刷ジョブをデータセンタに送信することができ、データセンタは、第三者からの印刷ジョブと同じ方法で、この注文を布地印刷機に転送することができる。
【００２０】
本発明によるシステムの好ましいさらなる展開によれば、データセンタが、少なくとも２つの布地印刷機のそれぞれの利用をデータセンタからの印刷ジョブの予想印刷時間と整合させるように構成されていることが規定されている。データセンタを介して第三者の印刷ジョブを布地印刷機のうちの１つに送信する前に、利用可能な印刷時間の確立を最初に実施することが有利であり得る。好ましくは、十分な空き印刷時間がそれぞれの布地印刷機で利用可能である場合、データセンタは、第三者の印刷ジョブを布地印刷機のうちの１つに送信する。以前に定義された期間内に十分な印刷時間がいずれの布地印刷機にも存在しない場合、データセンタは、例えば、データの集合の形態で、印刷ジョブをグローバル待機リストに追加することができる。定義された期間は、所望どおりに設定され得、例えば、１時間または複数時間、１日または複数日間、１週間もしくは１か月間または複数週間もしくは複数月間に達し得る。
【００２１】
特に、印刷ジョブのデータセンタへの送信中に第三者を介して最大待機時間を示すことができ、本システム、特に、データセンタは、所望の時間内での印刷ジョブの処理が明らかに可能ではない場合に第三者に通知するように構成されている。それによって、例えば、印刷ジョブがそれぞれの主体によってキャンセルされる、すなわち、削除されるかまたは中断されるという点で、空き印刷時間が生じる場合がある。
【００２２】
本発明のさらなる展開によれば、少なくとも、第１の布地印刷機および少なくとも第２の布地印刷機に対して、いずれの場合にも制御手段、特に、サーバが設けられており、手段は、ローカル印刷ジョブを少なくとも２つの布地印刷機のうちの１つに対してそれぞれ提供するように構成されていることが特に好都合である。それぞれの主体の布地印刷機に対して複数の印刷ジョブを提供するためには、好適な手段、例えば、実行される印刷ジョブの順序を構成するためのサーバを介して印刷ジョブを管理するか、または印刷ジョブを個々の布地印刷機に割り当てることが有利であり得る。本発明によれば、手段は、主体に対して直接、すなわち、ローカルに直接提出された印刷ジョブを管理するように構成され得る。手段は、特に、本発明によるモジュールと通信し得る。したがって、データセンタは、それぞれの主体の達成される印刷ジョブのそれぞれのジョブリストへのアクセスを有し得る。特に、ジョブへのアクセス、またはそれぞれの主体のジョブに関する情報を介して、データセンタは、それぞれの布地印刷機のアイドル時間を決定し得る。
【００２３】
本発明によれば、少なくとも２つの制御手段がいずれの場合にも別個のデジタルネットワーク上の一部として設けられていることが特に好ましい。
【００２４】
本発明の好ましい実施形態によれば、少なくとも、別個のデジタルネットワークのうちの１つに、少なくとも１つの第２の布地印刷機が設けられていることが規定されている。したがって、それぞれ別個のデジタルネットワーク内に、２つ、３つ、４つ、５つ、またはそれ以上の布地印刷機を設けることができる。必要に応じて、これらを、印刷ジョブを処理するために、同じ制御手段を介して、または別個の制御手段によって駆動させることができる。
【００２５】
本発明の適切なさらなる展開によれば、データセンタが、入力マスクを含み、入力マスクが、特に、インターネットを介して到達され得、かつ第三者からの印刷ジョブをデータセンタに提供するように構成されていることが規定されている。好ましくは、データセンタは、手段であって、それを介して第三者が印刷ジョブをデータセンタに直接送信することを可能にする、手段を備える。これによって、データセンタへの印刷ジョブの送信が位置に関係なく行われ得ることが特に好ましい。
【００２６】
位置に関係なくとは、特に、データセンタがデータセンタへの固定された安定したアクセスを介して第三者の印刷ジョブを必ずしも受信しないことを意味することがある。
【００２７】
本発明によれば、入力マスクをインターネットブラウザウィンドウ内に表示することができ、データセンタに対する第三者による印刷ジョブを、インターネット接続を有する任意のコンピュータから入力マスクに入力することができることが好ましい。したがって、任意の恣意的なインターネットアクセスを介して、世界中の第三者によって、印刷ジョブをデータセンタに送信することができる。本発明の実施形態の一変形例によれば、インターネット対応コンピュータとデータセンタとの接続を、特に、コンピュータにインストールされた、以前に実行されたソフトウェアによって確立することができることが規定されている。好ましい方法では、入力マスクならびにソフトウェアは、印刷ジョブを送信するためのユーザインタフェースを含み得る。印刷ジョブは、特に、サンプルおよび／またはプリンタカラーを有する印刷画像を含むファイルであり得る。入力マスクまたはソフトウェアはまた、印刷デザインの形態で、ブラウザウィンドウ内またはソフトウェア内で印刷ジョブを展開し、完成したドラフトをデータセンタに送信するように構成され得る。
【００２８】
好ましくは、入力マスクまたはソフトウェアは、印刷デザインまたは印刷画像を有する印刷ジョブが印刷センタに送信される前に、第三者による印刷デザインの後続の処理、補足、および／または完了を可能にする手段を含み得る。
【００２９】
本発明によるシステムの特に有利な実施形態によれば、データセンタの初期の印刷ジョブに対して優先権を有する後で提供されるローカル印刷ジョブは、それぞれの主体において布地印刷機によって処理可能であることが規定されている。布地印刷機の印刷時間の利用を改善するために、データセンタを介して送信される印刷ジョブと比較して、それぞれの主体が顧客から直接受信するローカル印刷ジョブを好むことが有利な場合がある。したがって、特に、布地印刷機のうちの１つを介した未来の処理のために、少なくとも１つの印刷ジョブがデータセンタを介して布地印刷機、モジュール、または制御サーバに送信された場合、第三者の印刷ジョブによって占められる布地印刷機の印刷時間は、ローカル印刷ジョブによって置換され得る。これはさらに、それぞれの会社に、それらの会社で達成される印刷ジョブを上回る処理権（独：Verfuegungsgewalt、英：dispositionary power）を利用可能にするために有利であり得る。したがって、短期通知の変更を、処理される印刷ジョブの過程で、必要に応じて、それぞれの主体の希望に適合させることができる。印刷センタを、必要に応じて、主体を介してそれぞれのローカルネットワークから除外することができ、これは、データセンタを介した印刷ジョブの発行を防止し得る。
【００３０】
本発明によるシステムの一実施形態は、布地印刷機の制御手段が、データセンタからの受諾された印刷ジョブを一時停止および／またはキャンセルするように構成されており、さらに、データセンタの印刷ジョブの代わりに、ローカル印刷ジョブを布地印刷機に割り当てるように構成されている状態にある。さらに、本発明の有利な実施形態は、それぞれのネットワークの制御手段が、グローバルプラットフォームのグローバル印刷ジョブをそれぞれのネットワークの布地印刷機に割り当てるように構成されており、ジョブが、布地印刷機を介して処理される状態にある。
【００３１】
本発明によるモジュールは、モジュールが、少なくとも２つの布地印刷機のうちの１つとそれぞれ通信しており、布地印刷機の状態、設定、および／または利用に関するデータをデータセンタに送信し、送信されたデータに基づいて、データセンタの印刷ジョブを受諾するように構成されており、ジョブが、布地印刷機を介して処理可能であることを特徴とする。本発明によれば、モジュールは、布地印刷機にそれぞれ割り当てられたユニットであり得る。モジュールは、特に、主体の少なくとも１つの布地印刷機を制御するための制御手段と接続され得、布地印刷機の利用、設定、ならびに状態に関する情報を決定し得る。状態は、特に、「オン」、「オフ」、「保守中」、「操作準備完了」、「ジョブ処理中」、および／または「アイドル」で、布地印刷機の状態を示し得る。
【００３２】
さらに、モジュールは、布地印刷機が操作準備完了（状態）であるかどうか、および／またはどの供給材料（設定）、例えば、布地および／またはプリンタインクが、特に、決定時のそれぞれの時点において、布地印刷機に提供されているかを決定するように構成され得る。モジュールは、特に、チップ、布地印刷機もしくは制御手段のプラグインカード、任意の所望の構造の布地印刷機の延長部、ならびに／または布地印刷機および／もしくは制御手段のソフトウェアの形態で構成され得る。モジュールは、有利な方法で、例えば、インターネット（特に、ワールドワイドウェブ）への接続、またはオンライン接続であるデータセンタへのＶＰＮ（バーチャルプライベートネットワーク）接続などの、特に、遠隔データラインとしての遠隔通信チャネルの形態の接続で構成され得る。
【００３３】
モジュールを主体の布地印刷機のうちの１つにそれぞれ、すなわち、布地印刷機ごとに１つのモジュールを割り当てることができる。要求に基づいて、モジュールはまた、主体のすべての布地印刷機と通信し、すべての布地印刷機に関する操作上関連のある情報をデータセンタに送信するように構成され得る。したがって、共通のモジュールを、主体のすべての布地印刷機、または少なくとも布地印刷機の一部のために設けることもできる。
【００３４】
本発明によれば、第三者の印刷ジョブを布地印刷機のモジュールならびに制御手段に送信することができる。これは、特に、モジュールまたは制御手段が布地印刷機の印刷ジョブを管理しているかどうかに依存し得る。モジュールはまた、データセンタからの印刷ジョブを受諾し、それらを制御手段に送信するように構成され得、次に制御手段は、ローカル印刷ジョブならびに第三者からの印刷ジョブを管理し、かつ例えば、印刷ジョブを管理するための定義された実行順序を有する印刷ジョブリストの形態で管理するように構成されている。
【００３５】
特に、それぞれの主体の少なくとも１つの布地印刷機の印刷ジョブリストに関して、それぞれのモジュールとデータセンタとの通信が要求に応じて中断可能であり、布地印刷機のローカルアイドル時間がローカル印刷ジョブに対してのみ使用可能であることは有利であり得る。モジュールは、特に、モジュール内に配置された、主体の少なくとも１つまたは複数の布地印刷機が少なくとも一時的に第三者の印刷ジョブに対して利用可能ではないという情報をデータセンタに送信するように構成され得る。それは、要求に基づいて、それぞれの主体の顧客からのローカル印刷ジョブ、およびデータセンタを介した第三者からの印刷ジョブによる布地印刷機の組み合わせられた利用と、ローカル印刷ジョブのみを有する布地印刷機の純粋なローカル利用との間で切り替えられ得る。モジュールを、ローカル印刷ジョブのみを発行するために個々の布地印刷機を解放するように構成することもでき、それぞれの主体の布地印刷機のうちの少なくとも１つは、第三者からの印刷ジョブを受諾するように解放されたままである。
【００３６】
続いて、添付の概略図に図示される好ましい例示的な実施形態に基づいて本発明をさらに説明する。図面は以下のとおりである。
【図面の簡単な説明】
【００３７】
【図１】本発明によるシステムの一実施形態の概略図を示す。
【発明を実施するための形態】
【００３８】
図１は、布地印刷機１０を操作するための本発明によるシステムの例示的な実施形態を示している。互いに独立した３つの主体Ｉ、ＩＩ、およびＩＩＩが図示されており、主体は各々、少なくとも１つの布地印刷機１０、モジュール１１、および制御手段２０を備える。これら３つの構成要素は、互いに異なる方法で構成され得る。図１によれば、布地印刷機１０、モジュール１１、および制御手段２０の相互作用について、３つの変形例が例として図示されている。主体Ｉでは、モジュール１１を各布地印刷機１０に割り当てることができ、モジュールは、それぞれ制御手段２０と接続され得る。これによって、モジュール１１を、布地印刷機１０ならびに制御手段２０と接続されたスタンドアロンユニットとして構成することができる。この構造は、１つの布地印刷機１０だけで構成されても、３つ、４つ、５つ、またはそれ以上の布地印刷機１０で構成されてもよい。例示的に図示された主体Ｉによれば、３つの構成要素の相互作用は、提供される布地印刷機１０の数とは特に無関係であり、モジュール１１の数は、布地印刷機の数に対応し得る。さらに、モジュール１１は、データセンタ３０に接続していてもよい。
【００３９】
例示的に図示された主体ＩＩに、少なくとも１つの布地印刷機１０、モジュール１１、および制御手段２０を設けることができる。モジュール１１は、布地印刷機１０の一体部分、特に、布地印刷機１０に接続されたチップ、プラグインカード、拡張ユニット、もしくは類似物として、および／または布地印刷機１０のオペレーティングソフトウェアに追加されたプログラムアプリケーションとして提供され得、アプリケーションは、布地印刷機１０の状態、設定、および／または利用に関するデータをデータセンタ３０に送信するために、布地印刷機１０の既存の通信手段を使用するように構成されている。したがって、特に、主体ＩＩによれば、モジュール１１および／または布地印刷機１０は、データをデータセンタ３０に送信するための手段を備え得る。この構造の主体（主体ＩＩ）にも任意の数のプリンタを割り当てることができ、１つのモジュール１１は各々、布地印刷機１０のうちの１つの一部であり得るか、または少なくとも前記機械に関連付けられ得る。
【００４０】
例示的に図示された主体ＩＩＩによれば、１つ、２つ、３つ、４つ、５つ、またはそれ以上の布地印刷機１０を設けることができる。これらを共通のモジュール１１に接続することができる。ここでは、モジュール１１は、すべての印刷機１０の状態、構成、および／または利用に関するデータを確立し、このデータをデータセンタ３０に送信するように構成され得る。特に、モジュール１１は、制御手段２０と接続され得るか、または任意の一部を形成するように構成され得る。原則として、制御手段は、例えば、少なくとも１つのサーバによって形成され得る。それぞれの主体の布地印刷機１０の直接のユーザは、制御手段２０を介して、印刷ジョブを布地印刷機１０にローカルに配信し得る。これは、図１に従って図示されるように、それぞれのモジュール１１を介して、または直接、それぞれの制御手段２０とそれぞれの主体の個々の布地印刷機１０との、図示されていない直接接続を介して可能にされ得る。同様に、制御手段２０は、データセンタ３０と直接通信するように、すなわち、布地印刷機１０に関するデータを送信し、データセンタ３０からグローバル印刷ジョブを受信するように構成され得る。これによって、それぞれのモジュール１１は、制御手段２０に対して、それぞれの布地印刷機１０または複数の布地印刷機１０の状態、設定、および／または利用に関するデータ、ならびに基本的にグローバル印刷ジョブの調達にとって決定的なさらなるパラメータも利用可能にするように確立され得る。
【００４１】
制御手段２０がデータセンタ３０からの印刷ジョブを受諾するように構成されているこの変形例を、基本的に主体Ｉ、ＩＩ、ＩＩＩによる構造または主体内のさらなる構造が少なくとも１つの布地印刷機１０およびモジュール１１を備えているかどうかとは無関係に設けることができる。
【００４２】
図１に図示されるように、個々の主体Ｉ、ＩＩ、およびＩＩＩにおいて、それぞれのモジュール１１をデータセンタ３０に接続することができ、モジュール１１は、それぞれの布地印刷機１０の状態、設定、および／または利用に関する情報および／またはデータをデータセンタ３０に送信する。データセンタ３０は、データセンタ３０に接続された少なくとも１つのコンピュータ３１を備え得る。データセンタ３０は、特に、任意の所望の遠隔データライン、インターネット、ＶＰＮ接続を介した、または別の様式でのデータ通信／データ交換のために利用可能であるグローバルサーバであり得る。上に記載されるように、コンピュータ３１は、任意のデータ接続を介してデータセンタ３０と通信し得る。
【００４３】
コンピュータ３１を、データセンタ３０を構成するサーバへの入力端末として設けることができる。例えば、ブラウザウィンドウ内、好適なソフトウェア内、または別の手段で表示され得る入力マスクを介して、グローバル印刷ジョブに関する情報を第三者からデータセンタ３０に送信することができる。入力マスクを介して、印刷ジョブを第三者からデータセンタ３０に送信することができる。
【００４４】
印刷ジョブは、特に、レイアウト、デザイン、カラー構成に関する情報、ならびに布地印刷に関連するさらなる情報を含み得、印刷ジョブを実装するために、必要な印刷時間に関する情報を含み得る。
【００４５】
データセンタ３０は、第三者からデータセンタ３０に送信された印刷ジョブを、それぞれの主体のモジュール１１が布地印刷機１０を介してデータセンタ３０に送信したデータと比較するように構成され得る。これによって、データセンタ３０は、個々の主体内のそれぞれの布地印刷機１０のアイドリング時間を検出および／または確立し、これらを第三者からの印刷ジョブに必要な予想印刷時間と比較するように構成され得る。
【００４６】
さらに、データセンタ３０は、第三者の印刷ジョブを通じてなされた要求を、本発明によるシステム内に存在する布地印刷機１０のものと比較するように構成され得る。対応して装備された布地印刷機１０を本発明によるシステム内に見いだすことができる場合、その機械は、印刷ジョブに必要な求められる供給材料（例えば、布地、プリンタインク、および／もしくは前処理材料）、必要な設定（例えば、インクジェット印刷、スクリーン印刷、および／もしくは前処理ユニット）、ならびに対応して長いアイドリング時間である対応して長い不使用の印刷時間も含み、データセンタ３０は、処理するために、印刷ジョブを対応する布地印刷機１０に送信し得る。
【００４７】
原則として、本発明によるシステムは、互いに独立して動作する任意の数の主体を含み得、それらの各々自体は、例としてまたは別の方法で表示される主体Ｉ、ＩＩ、ＩＩＩによる設定として構造化され得る。ここでは、布地印刷機１０、モジュール１１、および制御手段２０のそれぞれの相互作用である１つの主体の設定構造は、さらなる主体の設定構造とは無関係であり得る。本質的に、本発明によるシステムのすべての主体は、同じ設定構造を含み得るか、またはそれらの各々を別に設定することもできる。
【図１】
2019530942.tif 000003
【手続補正書】
【提出日】平成30年11月12日(2018.11.12)
【手続補正２】
【補正対象書類名】明細書
【補正対象項目名】０００１
【補正方法】変更
【補正の内容】
【０００１】
本発明は、請求項１の前提部分に記載の布地印刷機を操作するためのシステムに関する。
【手続補正３】
【補正対象書類名】明細書
【補正対象項目名】０００４
【補正方法】変更
【補正の内容】
【０００４】
特許文献１は、文書を印刷するための複数の印刷所を均一に利用するための印刷サービスネットワークを実装するためのシステム、方法、およびコンピュータプログラム製品に関する。本システムは、サーバを有するデータセンタを含み、個々のコントローラは、サーバと接続されており、コントローラは、個々の印刷所に割り当てられている。個々の印刷所からのデータは、コントローラを介してデータセンタに転送され得る。データがどのように入力されるかについての方法および様式は開示されていない。
【手続補正４】
【補正対象書類名】明細書
【補正対象項目名】０００５
【補正方法】変更
【補正の内容】
【０００５】
特許文献２は、サービスプロバイダへの注文の自動割り当てを開示している。印刷ジョブを受信し、これらのジョブを個々のサービスプロバイダに割り当てるように、いわゆる仲介者が設けられている。割り当ては、特に、サービスプロバイダによるフレームワーク条件の指定を介して行われる。
【手続補正５】
【補正対象書類名】明細書
【補正対象項目名】０００６
【補正方法】変更
【補正の内容】
【０００６】
特許文献３は、ユーザがプロバイダの事前選択から、印刷ジョブの実行のための所望のプロバイダを独立して選択し得る、インターネット印刷仲介システムおよび方法を開示している。プロバイダは、それらの印刷機に関するデータを、キーボードを有するコンピュータ端末を介して送信し得る。
【手続補正６】
【補正対象書類名】明細書
【補正対象項目名】０００８
【補正方法】変更
【補正の内容】
【０００８】
本発明の目的は、布地印刷機を操作するためのシステムを開示することであり、これにより、効率的な様式で印刷時間ならびに布地印刷機の供給材料の経済的な利用が可能になる。
【手続補正７】
【補正対象書類名】明細書
【補正対象項目名】０００９
【補正方法】変更
【補正の内容】
【０００９】
この目的は、請求項１の特徴を有するシステムによって本発明に従って解決される。有利な実施形態が従属請求項に明細に述べられている。
【手続補正８】
【補正対象書類名】特許請求の範囲
【補正対象項目名】全文
【補正方法】変更
【補正の内容】
【特許請求の範囲】
【請求項１】
布地印刷機（１０）を操作するためのシステムであって、
−  第１の布地印刷機（１０）、および少なくとも１つの第２の布地印刷機（１０）、を備え、前記第１の布地印刷機（１０）および前記第２の布地印刷機（１０）が、第１の主体または第２の主体内に設けられ、かつ互いに独立しており、
−  各布地印刷機（１０）が、データ処理モジュール（１１）を備え、前記データ処理モジュール（１１）が、前記布地印刷機の状態、設定、および／または利用に関するデータを検出し、前記布地印刷機（１０）に関する布地およびプリンタインクを決定するように構成されており、
−  前記データ処理モジュール（１１）を前記布地印刷機（１０）の顧客の要求に応じてブロック解除することができ、
−  前記布地印刷機（１０）が、前記検出されたデータならびにブロック解除されたデータ処理モジュール（１１）からの布地およびプリンタインクの前記決定されたデータを、主体および／または位置とは無関係にデータセンタ（３０）に送信し、
−  前記データセンタ（３０）が、前記それぞれの布地印刷機（１０）で十分な空き印刷時間が利用可能である限り、第三者からの印刷ジョブを受諾し、前記送信されたデータに基づいて、前記データに適合する少なくとも１つの印刷ジョブを前記少なくとも２つの布地印刷機のうちの１つに送信するように構成されている、
システム。
【請求項２】
前記データセンタ（３０）が、前記少なくとも２つの布地印刷機（１０）の前記それぞれの利用を前記データセンタ（３０）の印刷ジョブの予想印刷時間と比較するように構成されていることを特徴とする、請求項１に記載の布地印刷機（１０）を操作するためのシステム。
【請求項３】
少なくとも、前記第１の布地印刷機（１０）および前記少なくとも第２の布地印刷機（１０）のそれぞれに対して、制御手段（２０）、特に、サーバが設けられており、前記手段（２０）が、ローカル印刷ジョブを前記少なくとも２つの布地印刷機（１０）のうちの１つに対して利用可能にするように構成されていることを特徴とする、請求項１または２に記載の布地印刷機（１０）を操作するためのシステム。
【請求項４】
前記少なくとも２つの制御手段（２０）が、それぞれ別個のローカルデジタルネットワークの一部として利用可能であることを特徴とする、請求項３に記載の布地印刷機（１０）を操作するためのシステム。
【請求項５】
前記データセンタ（３０）が、入力マスクを含み、前記入力マスクが、特に、インターネットを介して到達され得、かつ第三者からの印刷ジョブを前記データセンタ（３０）に対して利用可能にするように構成されていることを特徴とする、請求項１〜４の何れか一項に記載の布地印刷機（１０）を操作するためのシステム。
【請求項６】
前記入力マスクをブラウザウィンドウ内に表示することができ、前記データセンタ（３０）に対する第三者からの印刷ジョブを、インターネット接続を有する任意の所望のコンピュータ（３１）から前記入力マスクに入力することができることを特徴とする、請求項５に記載の布地印刷機（１０）を操作するためのシステム。
【請求項７】
前記データセンタ（３０）の初期の印刷ジョブに対して優先権を有する後で利用可能になるローカル印刷ジョブを、前記それぞれの主体において前記布地印刷機（１０）を介して処理することができることを特徴とする、請求項１〜６の何れか一項に記載の布地印刷機（１０）を処理するためのシステム。
【請求項８】
前記布地印刷機（１０）の前記制御手段（２０）が、前記データセンタ（３０）により受諾された印刷ジョブを一時停止および／またはキャンセルするように構成されており、さらに、前記データセンタ（３０）の前記印刷ジョブの代わりに、ローカル印刷ジョブを前記布地印刷機（１０）に割り当てるように構成されていることを特徴とする、請求項３〜７に記載の布地印刷機（１０）を操作するためのシステム。
【請求項９】
前記それぞれのネットワークの前記制御手段（２０）が、グローバルプラットフォームのグローバル印刷ジョブを前記それぞれのネットワークの前記布地印刷機（１０）に割り当てるように構成されており、前記ジョブが、前記布地印刷機（１０）を介して処理され得ることを特徴とする、請求項３〜８の何れか一項に記載の布地印刷機（１０）を操作するためのシステム。
【国際調査報告】
2019530942.tif 000004
2019530942.tif 000005
2019530942.tif 000006
2019530942.tif 000007